(57)【要約】  本発明は、貫通差込み連結された媒体導管（１６）を固定するための、円形の差込み穴（３）を有する、歯付きディスク（１）に関する。差込み穴（３）の周囲に配置された、それぞれスリット（６）によって互いに切り離されて並列する、ばね弾性のある保持歯（４）が内側保持領域（２）を形成する。保持歯（４）は、円形面に対して垂直をなして差込み穴（３）の中心点（Ｍ）を通って延びる縦軸に対して、保持歯（４）が組付け領域（８）との間に鈍角（α）を形成するようにして、軸方向において傾斜して延びている。各保持歯（４）は、少なくとも一つの連結ウェブ（１１）を介して、外周に位置する組付け領域（８）と連結され、連結ウェブ（１１）どうしの間には打抜き（９）が形成されている。組付け領域（８）は、差込み穴（３）を取り巻く外周円上に配置されるとともに、差込み穴（３）から広がる円形面と平行をなして延びる組付け面内に位置する。内側保持領域（２）の各保持歯（４）は、少なくとも二つの連結ウェブ（１１）によって、組付け領域（８）と連結されている。本発明はさらに、媒体導管（１６）を貫通差込み連結するための連結装置に関する。
2019508635.tif 000002
【特許請求の範囲】
【請求項１】
媒体導管（１６）を固定するための、円形の差込み穴（３）を有する、歯付きディスク（１）であって、
前記差込み穴（３）の周囲に配置された、それぞれ打抜きによって形成されたスリット（６）によって互いに切り離されて並列する、ばね弾性のある保持歯（４）が内側保持領域（２）を形成し、
前記保持歯（４）は、円形面に対して垂直をなして前記差込み穴（３）の中心点（Ｍ）を通って延びる縦軸に対して、前記保持歯（４）が組付け領域（８）との間に鈍角（α）を形成するようにして、軸方向において傾斜して延び、
前記各保持歯（４）は、少なくとも一つの連結ウェブ（１１）を介して、外周に位置する前記組付け領域（８）と連結され、
前記連結ウェブ（１１）どうしの間には打抜き（９）が形成され、
前記組付け領域（８）は、前記差込み穴（３）を取り巻く外周円上に配置されるとともに、前記差込み穴（３）から広がる円形面と平行をなして延びる組付け面内に位置するように構成された歯付きディスクにおいて、
前記内側保持領域（２）の前記各保持歯（４）は、少なくとも二つの連結ウェブ（１１）によって前記組付け領域（８）と連結されていることを特徴とする歯付きディスク（１）。
【請求項２】
前記保持歯（４）は、共同して、前記媒体導管の外周の少なくとも７０％、特に７５％から９５％までに亘る円周方向の接触角を有することを特徴とする、請求項１に記載の歯付きディスク（１）。
【請求項３】
前記連結ウェブ（１１）は、円周方向に延びる、特に円弧状をなす、打抜き（９）によって形成されていることを特徴とする、請求項１又は２に記載の歯付きディスク（１）。
【請求項４】
前記打抜き（９）は、前記差込み穴（３）と同心円上の円弧状の中心線（Ｋ）上に位置することを特徴とする、請求項３に記載の歯付きディスク（１）。
【請求項５】
前記内側保持領域（２）は、三つないし六つの保持歯（４）を有することを特徴とする、請求項１から４のいずれか一項に記載の歯付きディスク（１）。
【請求項６】
前記保持歯（４）は、同一の寸法を有することを特徴とする、請求項１から５のいずれか一項に記載の歯付きディスク（１）。
【請求項７】
前記各保持歯（４）は、前記連結ウェブ（１１）どうしの間に配置された中央領域（４ａ）と、該中央領域（４ａ）の側方へ延長して前記連結ウェブ（１１）を越えて突き出して、前記スリット（６）で終止する端部領域（４ｂ，４ｃ）とを有し、
前記中央領域（４ａ）ないし端部領域（４ｂ，４ｃ）の円周方向の幅は、前記連結ウェブ（１１）の中心線（Ｙ）から出発して定められるように寸法設計され、
前記端部領域（４ｂ，４ｃ）の幅は、前記保持歯（４）の全幅の六分の一から四分の一、好ましくは五分の一であり、
前記中央領域（４ａ）の前記円周方向の幅は、前記保持歯（４）の前記全幅の六分の四から四分の二、好ましくは五分の三であることを特徴とする、請求項１から６のいずれか一項に記載の歯付きディスク（１）。
【請求項８】
前記歯付きディスク（１）は、打抜き・屈曲部材として形成され、ばね弾性を有する材料、特に、ばね鋼からなることを特徴とする、請求項１から７のいずれか一項に記載の歯付きディスク（１）。
【請求項９】
前記ばね弾性を有する材料は、０．１ｍｍから０．４ｍｍまで、特に、０．２ｍｍから０．２５ｍｍまでの材料厚さを有することを特徴とする、請求項８に記載の歯付きディスク（１）。
【請求項１０】
前記組付け領域（８）は、前記材料厚さの、少なくとも二倍から四倍の半径方向の幅を有し、該半径方向の幅は、好ましくは０．５ｍｍから１．０ｍｍであることを特徴とする、請求項１から９のいずれか一項に記載の歯付きディスク（１）。
【請求項１１】
前記連結ウェブ（１１）の前記幅は、円周方向に測定して、前記歯付きディスク（１）に使用された材料の前記材料厚さの二倍から三倍であることを特徴とする、請求項１から１０のいずれか一項に記載の歯付きディスク（１）。
【請求項１２】
前記鈍角（α）は、１２０°から１５０°、好ましくは１３０°から１４０°であることを特徴とする、請求項１から１１のいずれか一項に記載の歯付きディスク（１）。
【請求項１３】
前記スリット（６）は、０．１５ｍｍから０．４ｍｍまでの幅を有することを特徴とする、請求項１から１２のいずれか一項に記載の歯付きディスク（１）。
【請求項１４】
各スリット（６）は、それぞれ、前記打抜き（９）のいずれか一つから出ることを特徴とする、請求項３から１３のいずれか一項に記載の歯付きディスク（１）。
【請求項１５】
前記スリット（６）が終止する前記打抜き（９）は、円周方向において、その他の前記打抜き（９）よりも短い幅を有することを特徴とする、請求項１４に記載の歯付きディスク（１）。
【請求項１６】
すべての打抜き（９）は、円周方向において、同一の幅を有することを特徴とする、請求項３から１４のいずれか一項に記載の歯付きディスク（１）。
【請求項１７】
前記組付け領域（８）は、それぞれ、前記スリット（６）に隣接する前記連結ウェブ（１１）を連結する、少なくとも三つの、等しく離間した、環状体セグメント（１２）によって形成されていることを特徴とする、請求項１から１６のいずれか一項に記載の歯付きディスク（１）。
【請求項１８】
前記差込み穴（３）は、前記打抜きが行われた後かつ前記屈曲が行われる前に、前記差込み穴（３）を貫通する前記媒体導管の前記外径よりも５％から１５％小さいことを特徴とする、請求項１から１７のいずれか一項に記載の歯付きディスク（１）。
【請求項１９】
前記屈曲が行われた後の前記差込み穴（３）の前記直径は、前記媒体導管（１６）の外径よりも小さく、かつ、前記保持歯（４）の前記屈曲が行われる前の前記差込み穴（３）の前記直径よりも、特に、２％から１０％大きいことを特徴とする、請求項１から１８のいずれか一項に記載の歯付きディスク（１）。
【請求項２０】
各保持歯（４）は、
前記保持歯（４）の端縁（１０）が前記差込み穴（３）に沿って延び、該端縁はそれぞれ前記端部領域（４ｂ，４ｃ）の角領域において、荷重時に、各保持歯（４）の端縁（１０）が、差し込まれて固定される前記媒体導管（１６）に対して、固定機能を有する前記保持歯の接触面が、最大の接触角３６０°のうちの５５°から１０５°までの個別の接触角を形成するようにして、前記媒体導管（１６）に対する食い込み深さを有するように、
形成されていることを特徴とする、請求項１から１９のいずれか一項に記載の歯付きディスク（１）。
【請求項２１】
前記スリット（６）は、材料除去による半径方向の打抜きとして形成されていることを特徴とする、請求項１から２０のいずれか一項に記載の歯付きディスク（１）。
【請求項２２】
前記組付け領域（８）は、閉じた環状体として形成されていることを特徴とする、請求項１から２１のいずれか一項に記載の歯付きディスク（１）。
【請求項２３】
各保持歯（４）は、周囲の閉じた打抜き（９）を有し、
その際、前記閉じた打抜き（９）は、前記閉じた打抜き（９）の周囲に形成された端部（３０）によって角度３６０°に亘って包囲されていることを特徴とする、請求項１から２２のいずれか一項に記載の歯付きディスク（１）。
【請求項２４】
角度３６０°に亘って前記打抜き（９）の周囲を包囲する前記端部（３０）は、もっぱら、前記保持歯（４）側、前記二つの連結ウェブ（１１）側及び前記組付け領域（８）側に形成されていることを特徴とする、請求項２３に記載の歯付きディスク（１）。
【請求項２５】
媒体導管（１６）によって貫通穴（１９）に沿って貫通されるユニオンナット（２１）を含む、前記媒体導管（１６）を貫通差込み連結するための連結装置であって、
前記ユニオンナット（２１）は、差込み方向（Ｚ）前方においてストッパブシュ（２２）と連結されるとともに、受容ソケット（２８）と連結され、前記ユニオンナット（２１）は、差込み方向（Ｚ）においてその後方端に半径方向シール装置（２６）を有し、前記ユニオンナット（２１）の差込み方向（Ｚ）においてその前方端と前記ストッパブシュ（２２）との間に歯付きディスク（１）が同心的に配置された連結装置において、
前記歯付きディスク（１）は、請求項１から２４のいずれか一項に記載の特徴を有することを特徴とする連結装置。
【発明の詳細な説明】
【技術分野】
【０００１】
本発明は、貫通差込み連結された媒体導管を固定するための、円形の差込み穴を有する、歯付きディスクであって、前記差込み穴の周囲に配置された、それぞれスリットによって互いに切り離されて並列する、ばね弾性のある保持歯が内側保持領域を形成し、前記保持歯は、前記円形面に対して垂直をなして前記差込み穴の中心点を通って延びる縦軸に対して、前記保持歯が、前記差込み穴側とは異なる側面において、組付け領域との間に鈍角を形成するようにして、軸方向において傾斜して延び、前記各保持歯は、少なくとも一つの連結ウェブを介して、外周に位置する前記組付け領域と連結され、前記連結ウェブどうしの間には打抜きが形成され、前記組付け領域は、前記差込み穴を取り巻く外周円上に配置されるとともに、前記差込み穴から広がる円形面と平行をなして延びる組付け面内に位置するように構成された歯付きディスクに関する。
【背景技術】
【０００２】
上述した種類の歯付きディスクは、欧州特許第１５６１９８９号明細書から公知である。それによれば、歯付きディスクは、外周円形の組付け領域を含み、該組付け領域には半径方向に連続して、中心点に向かって六つの連結ウェブが配置されており、その際、各連結ウェブには円周方向において中央に保持歯が繋がっている。ただし、前記保持歯は、前記歯付きディスクを貫通して媒体導管が通される場合に、前記連結ウェブの回転軸まわりに揺動し、これによって、前記保持歯の前記保持力は十全なものとして保障されていない。
【先行技術文献】
【特許文献】
【０００３】
【特許文献１】欧州特許第１５６１９８９号明細書
【発明の概要】
【発明が解決しようとする課題】
【０００４】
本発明の目的は、その保持歯が優れた保持機能を有し、その際、前記歯付きディスクは前記媒体導管を通すために僅かな差込み力を要するだけであり、それにもかかわらず、荷重時には高い保持力を達成するように構成された、打抜き成形品として製造された冒頭に述べたタイプの歯付きディスクを創作することである。
【課題を解決するための手段】
【０００５】
上記目的を達成するために、請求項１の特徴記載部に記載の本発明によれば、上記内側保持領域の各保持歯は、少なくとも二つの連結ウェブによって、上記組付け領域と連結されている。該連結ウェブによって、上記組付け領域と上記内側保持領域との間の連結領域が減少するために、上記保持歯の可動性ないしばね弾性の向上が可能とされる。該連結ウェブの前記曲げ剛性が前記打抜きによる前記可動性と連携することによって、前記媒体導管の差込み力の良好な調節が可能となる。加えてさらに、上記保持歯の揺動は前記連結ウェブによって実質的に回避される。
【０００６】
特に好適には、本発明の実施態様において、上記連結ウェブは、円周方向に延びる、特に円弧状をなす、打抜きによって形成されている。加えてさらに、好ましくは、これらの打抜きは、上記差込み穴と同心円上の円弧状の中心線上に位置している。
【０００７】
好ましくは、上記保持歯は、共同して、前記媒体導管の外周の少なくとも７０、特に７５％から９５％までに亘る円周方向の接触角を有している。こうした接触角によって、前記媒体導管に作用する上記歯付きディスクの保持力が向上する。
【０００８】
本発明の特に好ましい実施形態において、上記内側保持領域は、三つないし六つの保持歯を有している。六つの保持歯までに限定された上記保持歯の数によって、上記保持歯による前記媒体導管に対する高い接触率がもたらされ、その際、上記保持歯の数は上記スリットの数と同じである。互いに離間した上記スリットによって、上記保持歯と前記媒体導管の間の前記接触面が減少するために、前記媒体導管に必要とされる前記差込み力も減少するとともに、さらに、前記媒体導管に対して固定ポジションを占める際の上記保持歯のゆとりも可能とされ、こうして、上記保持歯の不適な傾倒が防止される。さらに、上記保持歯の前記数は、前記媒体導管の外径が増大するとともに増加する。したがって、４．０又は６．０ｍｍの外径を有する媒体導管については、上記歯付きディスクは、好ましくは、三つないし五つまでの保持歯を有する。８．０又は１０．０ｍｍの外径を有する媒体導管については、上記歯付きディスクは、好ましくは、四つないし六つまでの保持歯を有し、１２．０ｍｍの外径を有する媒体導管については、上記歯付きディスクは、例えば、五つ又は六つの保持歯を含んでいる。
【０００９】
本発明の好ましい実施形態において、上記各保持歯は、上記連結ウェブどうしの間に配置された中央領域と、該中央領域の側方へ延長して上記連結ウェブを越えて突き出して、上記スリットで終止する端部領域とを有している。上記中央領域ないし上記端部領域の円周方向の幅は、上記連結ウェブの中心線から出発して定められるようにして寸法設計されている。好ましくは、上記端部領域の幅は、上記保持歯の全幅の六分の一から四分の一、好ましくは五分の一である。上記中央領域の前記円周方向の幅は、上記保持歯の前記全幅の六分の四から四分の二まで、好ましくは五分の三である。こうした分割比の適用下で、上記連結ウェブと上記保持領域との間における前記支持力の均等な分布が所与である。各保持歯の円周方向領域において上記連結ウェブがおおむね中央に配置されていないことによって、前記媒体導管の確実な保持が保障され、その際、前記保持歯は前記媒体導管に、該保持歯の円周方向中心のみでなく、全体に亘って均等な圧力を加える。加えてさらに、上記連結ウェブが全面的に上記端部領域内に配置されているわけではないことによって、上記保持歯が上記端部領域の領域内でのみ前記媒体導管に食い込むことが防止される。特に好ましくは、上記保持歯はそれぞれ、端部領域、中央領域及び端部領域に区分され、しかも以下のような比率で、すなわち
−  １／６；４／６；１／６、
−  １／５；３／５；１／５又は
−  １／４；２／４；１／４
の比率で区分されている。
【００１０】
これによって、荷重時における各保持歯の、前記媒体導管の前記外周面への円周方向食い込みが確保される。
【００１１】
本発明の特に好ましい実施形態において、各保持歯は、上記保持歯の端縁が上記差込み穴に沿って延び、該端縁はそれぞれ上記端部領域の角領域において、荷重時に、各保持歯の端縁が、差し込まれて固定される前記媒体導管に対して、固定機能を有する前記保持歯の接触面が、最大の接触角３６０°のうちの５５°から１０５°に亘る個別の接触角を形成するようにして、前記媒体導管に対する食い込み深さを有するように、形成されており、その際、前記個別の接触角は前記保持歯の数が増加するとともに減少する。上記接触面によって、固定さるべき前記媒体導管に対するそれぞれの前記保持歯による十分な保持力を設定することが可能となる。
【００１２】
本発明の好ましい実施形態において、上記組付け領域は、前記材料厚さの、少なくとも二倍から四倍までの半径方向の幅を有し、特に好ましくは、前記半径方向幅は、０．５ｍｍから１．０ｍｍである。さらに好ましくは、上記連結ウェブの幅は、円周方向に測定して、上記歯付きディスクに使用された材料の材料厚さの、例えば、二から三倍である。加えてさらに、上記スリットは、特に、０．１５ｍｍから０．４ｍｍまでの幅を有する。特に、上述した特徴の少なくともいずれか一つに依拠して形成された歯付きディスクにあっては、その保持歯は優れた保持機能を有し、その際、上記歯付きディスクは、前記媒体導管を貫通させるのに僅かな差込み力を要するにすぎないが、ただし、荷重時には高い保持力が達成される。
【００１３】
さらに、本発明によれば、媒体導管を貫通差込み連結するための連結装置が意図されている。該連結装置は、貫通穴に沿って媒体導管によって貫通されるユニオンナットを含んでいる。該ユニオンナットは、差込み方向前方において、ストッパブシュと連結されるとともに受容ソケットと連結されている。加えてさらに、該ユニオンナットは、差込み方向においてその後方端に、半径方向シール装置を有する。さらに、差込み方向において、該ユニオンナットの前記前端と上記ストッパブシュとの間には、歯付きディスクが同心配置されている。該歯付きディスクは、その際、請求項１から２１に記載の特徴の少なくともいずれか一つを有する。本発明による上記歯付きディスクは、基本的に、いかなる圧入若しくは差込み連結方式にも使用可能である。
【００１４】
添付図面に示した実施形態を参照して、本発明を詳細に説明する。各図は以下を示す。
【図面の簡単な説明】
【００１５】
【図１】本発明による歯付きディスクの概略的な正面図である。
【図２】図１に示した歯付きディスクの断面図である。
【図３】三つの保持歯を有する、本発明による別途の歯付きディスクの概略的な正面図である。
【図４】図３に示した歯付きディスクの断面図である。
【図５】四つの環状体セグメントからなる、本発明によるさらに別途の歯付きディスクの概略的な正面図である。
【図６】図５に示した歯付きディスクの断面図である。
【図７】本発明による歯付きディスクを有する連結装置の分解図である。
【図８】組み付けられた形の、図７に示した連結装置を示す図である。
【図９】五つの保持歯を有する、本発明による別途の歯付きディスクの概略的な正面図である。
【図１０】図９に示した歯付きディスクの側面図である。
【発明を実施するための形態】
【００１６】
上記図面に示した各図において、同一の部品には常に同一の符号が付されている。
【００１７】
続いての下記説明につき、本発明は下記実施形態に限定されるものではなく、かつ、その際説明された特徴の組み合わせのうちのすべての若しくは複数の特徴に限定されるものでもなく、むしろ、前記／各実施形態の個々各々の部分特徴は、前記実施形態に関連して説明されたその他のすべての部分特徴から切り離されても、それ自体として、また、その他の実施形態の任意の特徴と組み合わされても同様に、等しく本発明の対象にとって意義を有するものである旨保護請求される。
【００１８】
図１及び２には、本発明による歯付きディスク１の一実施形態が示されている。
【００１９】
本発明による歯付きディスク１は、円形の差込み穴３を包囲する内側保持領域２を有する。保持領域２は、差込み穴３の周囲に配置された、互いに離間して位置する保持歯４によって形成される。これらの保持歯４は、半径方向にばね弾性があるように形成され、スリット６によって互いに切り離されている。保持領域２は、中間領域７を介して、外周に位置する組付け領域８と連結されている。中間領域７及び組付け領域８はそれぞれ、差込み穴を取り巻く外周円上に配置されている。この場合、該組付け領域８は、差込み穴３から広がる円形面と平行をなす平らな組付け面内に位置している。保持歯４は、前記円形面に対して垂直をなして差込み穴３の中心点Ｍを通って延びる縦軸に対して、保持歯４が、差込み穴３側とは異なる側面で、組付け領域８との間に鈍角αを形成するようにして、軸方向において傾斜して延びている。鈍角αは、１２０°から１５０°、好ましくは１３０°から１４０°である。保持歯４の屈曲は、特に中間領域７の領域で行われる。
【００２０】
本発明によれば、図１から看取し得るように、個々の保持歯４は、それらの円周方向の幅全体に亘って組付け領域８と連結されているわけではなく、中間領域７を形成する少なくとも二つの連結ウェブ１１によって組付け領域と連結されている。これらの連結ウェブ１１は、差込み穴３と同心円上に位置する円弧状の打抜き９によって形成される。連結ウェブ１１の幅は、円周方向に測定して、特に、歯付きディスク１に使用された材料の材料厚さの二倍から三倍である。
【００２１】
組付け領域８は、特に、閉じた環状体として形成されている。これが意味するところは、組付け領域８が差込み穴３の中心点Ｍを角度３６０°に亘って円周方向に包囲しているということである。閉じた環状体として形成された組付け領域８は、組付け領域８が中心点Ｍから半径方向外側に向かって、つまり、中心点Ｍから離間する方向に変形させられることがないとの利点を有する。これによって、歯付きディスク１にとって、よって多くの組付けポジションが可能となる。特に好ましくは、組付け領域８は円形に形成され、これによって、好適には、歯付きディスク１の外側へ向かっての変形はさらに減少させられる。
【００２２】
特に、各保持歯４は、周囲の閉じた打抜き９を有する。好ましくは、歯付きディスク１に、角度３６０°に亘って周囲に形成された端部３０は、閉じた打抜き９を完全に包囲している。すなわち、周囲の閉じた打抜き９はスリット６とは繋がっていないということである。これによって、保持歯４によって、接続された媒体導管１６の外周に均等な保持力が及ぼされる。
【００２３】
角度３６０°に亘って閉じた打抜き９の周囲を包囲する端部３０は、好適には、保持歯４側、二つの連結ウェブ１１側及び組付け領域８側に形成されている。
【００２４】
本発明による歯付きディスク１は、打抜き・屈曲部材として形成され、ばね弾性を有する材料、特に、ばね鋼製である。該ばね弾性を有する材料は、好ましくは、０．１ｍｍから０．４ｍｍまで、特に、０．２ｍｍから０．２５ｍｍまでの材料厚さを有する。保持歯４は、打抜き・屈曲プロセスにて製造される。これによって、保持歯４の間に位置するスリット６は、外側から内側に向かって、すなわち、差込み穴３に向かって広がっている。スリット６は、材料除去によって製造され、０．１５ｍｍから０．４ｍｍまでの幅を有する。差込み穴３は、打抜きが行われた後かつ保持歯４の屈曲が行われる前に、差込み穴３を貫通する、差し込まれた状態で摩擦係止によって、荷重時には摩擦相補係合係止によって本発明による歯付きディスク１を保持する、媒体導管１６の外径よりも特に５％から１５％小さい直径を有する。保持歯４の屈曲が行われた後の差込み穴３の直径は、媒体導管１６の外径よりも小さく、かつ、保持歯４の屈曲が行われる前の差込み穴３の直径よりも特に２％から１０％大きい。この種の媒体導管１６の外径、図５参照、は、好ましくは、４．０ｍｍ，６．０ｍｍ，８．０ｍｍ，１０ｍｍ又は１２ｍｍである。本発明による歯付きディスク１は、媒体導管のサイズが好ましくは４．０ｍｍ，６．０ｍｍ又は８．０ｍｍの場合に、それぞれのサイズに対応して好ましくは６．８ｍｍ，８．６ｍｍ又は１０．８ｍｍの外径を有する。保持歯４が屈曲された後の差込み穴３の内径は、媒体導管サイズが上記と同じである場合、それぞれのサイズに対応して、特に、３．５ｍｍ，５．４ｍｍ又は７．３ｍｍである。媒体導管サイズが上記のとおりである場合、媒体導管の肉厚はそれぞれ、例えば、１ｍｍである。
【００２５】
組付け領域８は、上記材料厚さの、好ましくは、少なくとも二倍から四倍の半径方向の幅を有し、該半径方向幅は、好ましくは０．５ｍｍから１．０ｍｍである。
【００２６】
したがって、本発明による歯付きディスク１において、保持領域４の端縁１０は、差込み穴３に差し込まれた媒体導管１６の外径よりも小さな直径の円上に位置している。
【００２７】
図１及び２には、差込み穴３の周囲に同じ大きさの保持歯４が形成された実施形態が示されている。これらの保持歯４は、共同して、該保持歯４の個別の接触角の総計から合成される、最大の接触角３６０°の少なくとも７０％、好ましくは、７５％から９５％までに亘る円周方向の接触角を有する。接触角が大きいために、媒体導管に対する大きな保持領域が生ずる。
【００２８】
図１に示した実施形態には、四つの保持歯４が示されている。ただし、歯付きディスク１に、三つから六つまでの保持歯４が形成されているのも同じく好適である。保持歯４の数は、媒体導管１６の外径が増大するとともに増加する。４．０又は６．０ｍｍの外径を有する媒体導管１６につき、歯付きディスク１は、好ましくは三つから五つまでの保持歯４を有する。８．０又は１０．０ｍｍの外径を有する媒体導管１６につき、歯付きディスク１は、好ましくは、四つから六つまでの保持歯４を有し、１２．０ｍｍの外径を有する媒体導管１６につき、歯付きディスク１は、例えば、五つ又は六つの保持歯４を含んでいる。
【００２９】
各保持歯４は、連結ウェブ１１どうしの間に配置された中央領域４ａと、中央領域４ａの側方へ延長して連結ウェブ１１を越えて突き出して、スリット６で終止する端部領域４ｂ，４ｃとを有する。中央領域４ａないし端部領域４ｂ，４ｃの円周方向の幅は、好ましくは、連結ウェブ１１の中心線Ｙから出発して定められるようにして寸法設計される。端部領域４ｂ及び４ｃの幅はそれぞれ、好ましくは、保持歯４の全幅の六分の一から四分の一、特に好ましくは五分の一であり、中央領域４ａの円周方向の幅は、好ましくは、保持歯４の全幅の六分の四から四分の二、特に好ましくは五分の三である。
【００３０】
本発明によれば、各スリット６は、それぞれ、打抜き９のいずれか一つから出る。必ずしもいずれの打抜き９もスリット６と繋がっている必要はない。スリット６が終止する打抜き９は、円周方向において、連結ウェブ１１を形成するためのその他の打抜き９よりも短い幅を有し、これは保持歯４の中央領域４ａないし端部領域４ｂ及び４ｃの上述した寸法幅から導出される。
【００３１】
保持歯４が連結ウェブ１１を介して繋がれていることによって、保持歯４のばね弾性は、保持歯４と中間領域７の間の繋がりが中断されていない場合に比較して、すなわち、保持歯４が打抜きなしに全面的に繋がって一体をなしている場合に比較して、向上する。
【００３２】
さらに図１には、一つの打抜き９の円弧状の中心線Ｋが、あらゆる実施形態のすべての打抜き９の中心線Ｋを形成し得る一本の総じて完全な円の一部として概略的に示されている。打抜き９を互いに半径方向にずらすことも同じく可能である。
【００３３】
図３及び４には、それぞれ三つの連結ウェブ１１を介して組付け領域８と連結された三つの保持歯４を有する、本発明による歯付きディスク１の一実施形態が示されている。この場合、スリット６で終止する端部領域４ｂ及び４ｃの円周方向の幅は、例えば、保持歯４の円周方向全幅の六分の一であり、端部領域４ｂと４ｃの間に位置する中央領域４ａは、保持歯全幅の六分の四の幅を有する。この実施形態において、すべての打抜き９は、円周方向において、同一の幅を有し、それぞれ外側に位置する連結ウェブ１１は、それらの間を延びる第三の連結ウェブ１１に対して同一の離間間隔を有する。この実施形態における本発明による歯付きディスク１の寸法に関して言えば、その他の点では上記説明と同一であり、したがって、本発明による歯付きディスク１の上記個々の特徴に関しては、同所に挙げた前記寸法及び前記比が同じく当てはまる。
【００３４】
本発明による歯付きディスク１の上記実施形態に関して重要な点は、保持歯４が、それらの端縁１０が端部領域４ｂ，４ｃの角領域において、荷重時に、差し込まれて固定される媒体導管に対して一定の食い込み深さを有し、その際、それらの端縁１０は、保持歯４の端縁１０が、固定機能を有する保持歯の接触面が、最大の接触角３６０°のうちの５５°から１０５°に亘る個別の接触角を形成するようにして、食い込み深さを有するように、寸法設計されていることであり、その際、個別の接触角は保持歯の数が増加するにつれて減少する。
【００３５】
図５及び６には、本発明による歯付きディスク１のさらに別の実施形態が示されている。この歯付きディスク１の形成に関して言えば、その個々の形状特徴及び寸法設計及び前記比につき、上記の特に図１から４に関して述べたのと同様に形成されていてよい。ただし、この場合、外側の組付け領域８が、図１から４に示したように、閉じた環状体として形成されておらず、組付け領域８は、それぞれ、スリット６に隣接する連結ウェブ１１を連結する、少なくとも三つの、等しく離間した、環状体セグメント１２によって形成されている点において相違している。図５及び６にあっては、互いに等しく離間した四つの環状体セグメント１２が形成されている。したがって、この実施形態において、外側に位置する連結ウェブ１１の間にある打抜き９は、組付け領域８の前記領域も含んでなっている。
【００３６】
スリット６は、好ましくは、材料除去による半径方向の打抜きとして形成される。
【００３７】
図７及び８は、本発明による歯付きディスク１を使用して媒体導管１６を貫通差込み連結するための連結装置１４の思量可能な一実施形態を示す。媒体導管１６はユニオンナット２１の貫通穴１９に、差込み方向Ｚにおいてユニオンナット２１の先端に配置されたストッパブシュ２２まで差し込まれる。歯付きディスク１は、ユニオンナット２１の先端とストッパブシュ２２の円形載置ショルダ２３との間に配置される。媒体導管１６が差し込まれた状態で、内側保持領域２の保持歯４は媒体導管１６の外周面に食い込み、これによって、媒体導管１６は、差込み方向Ｚとは反対をなす軸方向への変位が制限される。加えてさらに、媒体導管１６の、差込み方向Ｚと同じ方向への軸方向変位は、差込み方向Ｚにおいて前方のストッパブシュ２２に配置された円形支台ショルダ２４によって防止される。ユニオンナット２１は、差込み方向Ｚとは反対側の端部に、システム圧力が生ずる際に媒体流出を防止すべく、Ｏリング装置２７を備えた半径方向シール装置２６を有する。ユニオンナット２１は受容ソケット２８と連結される。図７及び８において、好ましい実施形態によって、ユニオンナット２１は雄ねじを介して、受容ソケット２８に設けられた雌ねじと螺合する。最後に、受容ソケット２８は、媒体導管１６及びユニオンナット２１の貫通穴１９と同軸をなす受容穴２９を有する。
【００３８】
したがって、図７及び８に示した上記実施形態はピンなし連結装置を含み、その際、連結は“保持の前にシール”の原則に基づいて行われ、すなわち、歯付きディスク１は差込み方向Ｚにおいて、シール領域の前方に位置する。別法として、ただし、不図示であるが、“シールの前に保持” の原則に基づいた連結も実現可能であり、その際、歯付きディスク１は差込み方向Ｚにおいて、シール領域の後方に位置する。
【００３９】
図９及び１０は、総計で五つの保持歯４を有する、本発明による歯付きディスク１の別途実施形態を示しており、その際、スリット６と繋がっていない打抜き９はそれぞれ、それぞれ一つのスリット６と繋がっている打抜き９よりも小さな円周方向の幅を有する。
【００４０】
本発明は、以上に図示説明した実施形態に限定されることはなく、発明の趣旨において同一の機能を有するすべての実施形態を含むものである。上記実施形態は組み合わされたすべての特徴に限定されることはなく、個々の部分特徴はいずれも、その他のすべての部分特徴から切り離されても、それ自体として発明上の意義を有する旨明確に強調しておくこととする。さらに、本発明は、請求項１に定義された特徴の組み合わせにも限定されることはなく、総じて開示されたすべての個別特徴のうちの一定の特徴のその他のいかなる任意の組み合わせによって定義されていてもよい。これが意味するところは、請求項１のいずれの個別特徴も原則として実際に除外可能でありあるいは本出願のその他の箇所に開示された少なくとも一つの特徴によって代替されてもよいということである。
【符号の説明】
【００４１】
１     歯付きディスク
２     内側保持領域
３     円形差込み穴
４     保持歯
４ａ   領域
４ｂ   端部領域
４ｃ   端部領域
６     スリット
７     中間領域
８     組付け領域
９     打抜き
１０   保持領域の端縁
１１   連結ウェブ
１２   環状体セグメント
１４   連結装置
１６   媒体導管
１９   貫通穴
２１   ユニオンナット
２２   ストッパブシュ
２３   円形載置ショルダ
２４   円形支台ショルダ
２６   半径方向シール装置
２７   Ｏリング装置
２８   受容ソケット
２９   受容穴
３０   端部
Ｋ     円弧状の中心線
Ｍ     差込み穴の中心点
Ｙ     連結ウェブのそれぞれの中心線
Ｚ     差込み方向
【図１】
2019508635.tif 000003
【図２】
2019508635.tif 000004
【図３】
2019508635.tif 000005
【図４】
2019508635.tif 000006
【図５】
2019508635.tif 000007
【図６】
2019508635.tif 000008
【図７】
2019508635.tif 000009
【図８】
2019508635.tif 000010
【図９】
2019508635.tif 000011
【図１０】
2019508635.tif 000012
【国際調査報告】
2019508635.tif 000013
2019508635.tif 000014
2019508635.tif 000015
2019508635.tif 000016
2019508635.tif 000017
2019508635.tif 000018